(57)【要約】【課題】本発明は、グローブがケースから脱落した場合の安全性を高めることができる照明用光源を提供することを目的とする。【解決手段】照明用光源は、発光部３と導電路５１等を介して前記発光部３への給電を行う点灯回路５とを、ケースとグローブ９とを組み合わせてなる外囲器内に格納してなる。グローブ９には、ケースと組み合わされた状態で点灯回路５と電気的に接続し、ケースから外れた状態では点灯回路５との電気的接続が不通となる導電路５１が設けられ、点灯回路５と導電路５１との電気的接続が不通になると、発光部３への給電が遮断される。【選択図】図４
2010118267.tif 000002
【特許請求の範囲】
【請求項１】
発光部と前記発光部へ給電路を介して給電する点灯回路とを、ケースとグローブとを組み合わせてなる外囲器内に備える照明用光源であって、
前記グローブには、前記ケースと組み合わされた状態で前記点灯回路と電気的に接続し、前記ケースから外れた状態では前記点灯回路との前記電気的接続が不通となる導電路が設けられ、
前記電気的接続が不通になると、前記発光部への給電が遮断される
ことを特徴とする照明用光源。
【請求項２】
前記導電路は、前記給電路の一部である
ことを特徴とする請求項１に記載の照明用光源。
【請求項３】
前記点灯回路は、
前記電気的接続の不通を検知する検知部と、
前記検知部で不通の検知があると、発光部への給電を停止させる停止部と
を備える
ことを特徴とする請求項１又は２に記載の照明用光源。
【請求項４】
前記グローブは、ドーム状をしたドーム部分を有し、
前記導電路は、前記ドーム部分の内周面に形成された複数本の導電部を連結部で直列に接続してなる
ことを特徴とする請求項１〜３のいずれか１項に記載の照明用光源。
【請求項５】
前記グローブは、ドーム状をしたドーム部分を有し、
前記導電路は、前記ドーム部分の内周面に形成された複数本の導電部を連結部で並列に接続してなる
ことを特徴とする請求項１〜３のいずれか１項に記載の照明用光源。
【請求項６】
前記導電部は、ドーム部分を横切るようにアーチ状をしている
ことを特徴する請求項４又は５に記載の照明用光源。
【請求項７】
前記導電部は、透明である材料により構成されている
ことを特徴とする請求項４又は５に記載の照明用光源。
【請求項８】
前記発光部は、基板に半導体発光素子が実装されてなる
ことを特徴する請求項１〜７のいずれか１項に記載の照明用光源。
【発明の詳細な説明】
【技術分野】
【０００１】
本発明は、発光部と前記発光部へ給電を行う点灯回路とを、ケースとグローブとを組み合わせてなる外囲器内に備える照明用光源に関する。
【背景技術】
【０００２】
白熱電球を代替する電球形蛍光ランプは、基本構成として、発光部と、発光部を発光させる回路と、グローブとケースとからなり且つその内部に前記発光部と前記回路とを収納する外囲器とを備え、前記ケースには照明装置側に装着されて電気的に接続される口金が取着されている。
なお、発光部はガラス管の内面に蛍光体が形成されてなる発光管により構成され、前記グローブはガラス材料により構成され、また、バルブとケースとは接着剤などで固着されている。
【０００３】
上記の電球形蛍光ランプは、近年、発光管内の蛍光体材料等の改良により長寿命化が図られている一方、半導体発光素子の一種であるＬＥＤを用いた発光部が上記発光管よりも省エネルギーな光源として注目されている。なお、このＬＥＤを用いた発光部は、発光管に比べて、高効率、長寿命、小型化等のメリットを有する。
【特許文献１】特開２００４−１３４１４７号公報
【発明の開示】
【発明が解決しようとする課題】
【０００４】
上述のような蛍光体材料の改良やＬＥＤの利用による発光部の長寿命化により、グローブがケースから脱落する可能性が生じている。つまり、グローブとケースとを固着していた接着剤の劣化が、従来のランプ寿命では問題が生じなかったが、発光部の長寿命化によりランプの寿命末期において問題となる可能性が高くなっている。
なお、グローブがケースから脱落すると、発光部が剥き出しとなり、点灯中の発光部に触れると殺傷や感電などの人的被害が起こる可能性がある他、例えば湿度（水分）が発光部と回路との接点に加わる等の影響で電極が短絡したりして、発煙や発火をおこしたりする可能性もある。
【０００５】
本発明は、上記のような課題に鑑みてなされたもので、グローブがケースから脱落した場合の安全性を高めることができる照明用光源を提供することを目的とする。
【課題を解決するための手段】
【０００６】
上記目的を達成するために、本発明に係る照明用光源は、発光部と前記発光部へ給電路を介して給電する点灯回路とを、ケースとグローブとを組み合わせてなる外囲器内に備える照明用光源であって、前記グローブには、前記ケースと組み合わされた状態で前記点灯回路と電気的に接続し、前記ケースから外れた状態では前記点灯回路との前記電気的接続が不通となる導電路が設けられ、前記電気的接続が不通になると、前記発光部への給電が遮断されることを特徴としている。
【発明の効果】
【０００７】
本発明に係る照明用光源は、グローブとケースとが組み合わされた状態で点灯回路と電気的に接続し、ケースからグローブが外れた状態では点灯回路との電気的接続が不通となる導電路がグローブに設けられ、この電気的接続が不通になると、発光部への給電が遮断されるようになっている。
このため、グローブがケースから脱落した場合、点灯回路と導電路との電気的接続が不通となり、発光部が点灯しなくなるので、使用者に照明用光源の早期交換を促すことができ、グローブの脱落時の照明用光源の安全性を高めることができる。
【０００８】
また、前記導電路は、前記給電路の一部であることを特徴とし、あるいは、前記点灯回路は、前記電気的接続の不通を検知する検知部と、前記検知部で不通の検知があると、発光部への給電を停止させる停止部とを備えることを特徴としている。
さらに、前記グローブは、ドーム状をしたドーム部分を有し、前記導電路は、前記ドーム部分の内周面に形成された複数本の導電部を連結部で直列に接続してなることを特徴し、あるいは、前記グローブは、ドーム状をしたドーム部分を有し、前記導電路は、前記ドーム部分の内周面に形成された複数本の導電部を連結部で並列に接続してなることを特徴としている。
【０００９】
また、前記導電部は、ドーム部分を横切るようにアーチ状をしていることを特徴し、あるいは、前記導電部は、透明である材料により構成されていることを特徴とし、あるいは、前記発光部は、基板に半導体発光素子が実装されてなることを特徴としている。
【発明を実施するための最良の形態】
【００１０】
＜第１の実施の形態＞
以下、本発明の一例である第１の実施の形態に係る照明用光源について、それぞれ図面を参照しながら説明する。
１．構成
図１は、本発明の第１の実施の形態に係る照明用光源の構成を示す分解斜視図である。図２は、第１の実施の形態に係る照明用光源のグローブを切り欠いた斜視図である。図３は、第１の実施の形態に係る照明用光源の断面図である。
【００１１】
照明用光源１は、図１〜図３に示すように、発光部３とこの発光部３への給電を行う点灯回路５とを、ケース７とグローブ９とを組み合わせてなる外囲器１１内に備える。
つまり、一端に口金１３を備えるケース７、ケース７の他端側に取着された発光部３、ケース７内に収納された点灯回路５、発光部３を覆い且つケース７に取着されたグローブ９とを備える。なお、後述するが、点灯回路５の発光部３への給電は給電路を介して行われる。
【００１２】
ケース７は、図３に示すように、コーン状のケース本体１５と、ケース本体１５の大径部側に設けられたヒートシンク１７とを有し、ケース本体１５の小径部側に口金１３が取着されている。ケース本体１５の内部には発光部３を点灯させるための点灯回路５が収納されている。
ヒートシンク１７は、図３に示すように、略中実部材からなる。ヒートシンク１７の外周面には放熱用のフィン１９が形成されている。ヒートシンク１７におけるケース本体１５が存在する側と反対側の端面（図３における上面である。）２１は平坦状になっており、この平坦な端面２１に発光部３が装着されている。
【００１３】
ヒートシンク１７は、ケース本体１５側に位置する端面２３から発光部３を装着する端面（図３における下面である。）２１につながる貫通孔２５，２７を有し、この貫通孔２５，２７内を発光部５に電力を給電するためのリード線２９，３１が挿通している。
発光部３は、図３の（ａ）に示すように、基板３３と、当該基板３３の表面（ヒートシンクの端面に接触する面と反対側の面である。）３５に実装された複数のＬＥＤ３７と、ＬＥＤ３７から発せられた光の波長を所望の波長に変換し且つＬＥＤ３７を封止状態で被覆する被覆体３９とを備える。被覆体３９は蛍光体と透光性の樹脂材料とで構成されている。
【００１４】
基板３３の表面３５には、上記のＬＥＤ３７のそれぞれと電気的に接続されるランドと、給電路と接続される接続端子４１，４３とを有する配線パターンが形成されている。
グローブ９は、透光性の樹脂やガラス等からなり、発光部３にユーザが直接触れたり、水分等が飛散したりしないようにするため、発光部３の上方を覆うような形状をしている。
【００１５】
ここでのグローブ９は、円筒部４５と、当該円筒部４５の一端に設けられたドーム状部４７とからなる形状をし、図３に示すように、円筒部４５の他端がケース７（正確にはヒートシンク１７である。）に接着剤４９を介して固着されている。
グローブ９の内周面には給電路の一部を構成する後述の導電路５１が形成されている。ここでの導電路５１は円筒部４５の周縁に沿って略１周（具体的には、３３０度以上、３６０度以下の範囲である。）に亘って形成されている。導電路５１は、例えば、透明且つ導電性の材料（例えば、ＩＴＯである。）をグローブ９の内周面に蒸着することにより形成されている。
【００１６】
ヒートシンク１７の端面２１には、図３の（ｂ）に示すように、点灯回路５と接続して給電路の一部を構成するリード線２９ａの端部を固定する固定手段５３と、発光部３の給電端子４１に接続して給電路の一部を構成するリード線２９ｂの端部を固定する固定手段５５とが設けられている。
この固定手段５３，５５は、ヒートシンク１７の端面２１に設けられた突部５７，５７と、この突部５７，５７を貫通する貫通孔とから構成され、この貫通孔にリード線２９ａ，２９ｂの端部を挿入した状態でリード線２９ａ，２９ｂの端部が固定されている。
【００１７】
固定手段５３，５５は、グローブ９がケース７に装着されたときに、グローブ９の内面の導電路５１と、固定手段５３により固定されているリード線２９ａ，２９ｂの端部とが接触して、両者が電気的に接続する位置に設けられている。
これにより、グローブ９とケース７と組み合わされた状態では、点灯回路５と接続するリード線２９ａと、発光部５と接続するリード線２９ｂとが導電路５１に接触して点灯回路５と発光部５との電気的接続が図られ、一方、グローブ９がケース７から外れた状態では、点灯回路５と接続するリード線２９ａと、発光部５と接続するリード線２９ｂとが導電路５１と接触しなくなって点灯回路５と発光部５との電気的接続が不通となる。なお、発光部５の負極側の給電端子４３は、グローブ９の着脱に関係なく、リード線３１を介して点灯回路５と電気的に接続されている。
【００１８】
点灯回路５は、図３の（ａ）に示すように、プリント配線板６１に各種の電子部品６３等が実装されて構成され、プリント配線板６１がケース７（ケース本体１５）の内部に固定されている。点灯回路５は、口金１３と電気的に接続されている他、グローブ９の導電路５１を介して、発光部３の基板３３の接続端子４１，４３と給電路を介して電気的に接続されている。
【００１９】
図４は、第１の実施の形態に係る配線図の説明図である。
点灯回路５が発光部３に対して給電を行う給電路は、点灯回路５と発光部３の正極側の接続端子４１とを接続する配線１と、発光部３の負極側の接続端子４３と点灯回路５とを接続する配線２とからなる。
配線１は、点灯回路５と導電路５１の一端５１ａとを接続するリード線２９ａと、導電路５１と、導電路５１の他端５１ｂと発光部３の正極側の接続端子４１とを接続するリード線２９ｂとからなり、配線２は、発光部３の負極側の接続端子４３と点灯回路５とを接続するリード線３１により行われる。
【００２０】
図５は、第１の実施の形態に係る点灯回路の回路図を示す。
点灯回路５は、図５に示すように、整流・平滑回路６３、ＤＣ／ＤＣコンバータ６５、保護回路６７、点灯制御回路６９から構成されている。
整流・平滑回路６３は、商用周波数を整流・平滑して出力するものであって、例えば、４個のダイオードからなるダイオードブリッジと電解コンデンサ等から構成されている。
【００２１】
ＤＣ／ＤＣコンバータ６５は、整流・平滑回路６３から出力された直流電圧を所定の電圧に変換する。このＤＣ／ＤＣコンバータ６５は、ＩＣ素子が組み込まれた、所謂、ＬＥＤドライバである。
点灯制御回路６９は、グローブ９がケース７に装着されている場合やケース７の内周面の導電路５１が導通している場合に発光部３に給電路を介して給電し、グローブ９がケース７から外れた場合やケース７の内周面の導電路５１が断線した場合に発光部３への給電を停止させる。
【００２２】
点灯制御回路６９は、ＩＣ素子ＩＣ１と、スイッチング素子としてのトランジスタＴＲ２と、電源用の抵抗Ｒ２と、発光部３の不点（給電路の断線）を検知するための電圧検知用の抵抗Ｒ３とを備える。
トランジスタＴＲ２は、エミッタがＤＣ／ＤＣコンバータ６５の出力側の正極側に、コレクターがリード線２９ａ及び導電路５１を介して発光部３の正極側に接続され、ベースがＩＣ素子ＩＣ１の信号出力端子に接続されている。
【００２３】
ＩＣ素子ＩＣ１は、電源として、電圧調整用の抵抗Ｒ２を介してＤＣ／ＤＣコンバータ６５の出力側の正極とトランジスタＴＲ２のエミッタとの間に接続されている。抵抗Ｒ３は、発光部３の負極側とＤＣ／ＤＣコンバータ６５の出力側の負極との間に直列に挿入され、この抵抗Ｒ３の上流（発光部３）側の接続点Ｎ１がＩＣ素子ＩＣ１の信号入力端子と接続されている。なお、接続点Ｎ１はＤＣ／ＤＣコンバータ６５の信号入力端子にも接続されている。
【００２４】
保護回路６７は、グローブ９がケース７から外れた場合や、ケース７の内周面の導電路５１が断線した場合に、発光部３側に電流が流れるのを防止するためのものである。この保護回路６７は、トランジスタＴＲ１と、トランジスタＴＲ１のべースに接続された抵抗Ｒ１とを備える。
トランジスタＴＲ１のエミッタがＤＣ／ＤＣコンバータ６５の出力側の正極とトランジスタＴＲ２との間であって、抵抗Ｒとの接続点よりも下流（ＤＣ／ＤＣコンバータ６５）側に接続されている。トランジスタＴＲ１のコレクタは接地され、また、ベースはＤＣ／ＤＣコンバータ６５の信号出力端子に抵抗Ｒ１を介して接続されている。
２．動作
上記構成の照明用光源１は、通常の状態、つまり、グローブ９がケース７に装着された状態では、リード線２９ａ、導電路５１、リード線２９ｂが電気的に接続され、点灯回路５から給電路を経由して発光部３へと給電が行われ、発光部３が発光する。
【００２５】
具体的な回路上での動作について説明する。
照明用項光源１を点灯させると、まず、点灯制御回路６９のＩＣ素子ＩＣ１は、トランジスタＴＲ２をＯＮ状態にし、ＤＣ／ＤＣコンバータ６５から出力された直流電力が給電路から発光部３へと供給される。これにより、抵抗Ｒ３に電流が流れ、ＩＣ素子ＩＣ１とＤＣ／ＤＣコンバータ６５とに対して発光部３に電流が流れている旨の信号が入力される。信号を受け、ＩＣ素子ＩＣ１はトランジスタＴＲ２のＯＮ状態をそのまま維持し、ＤＣ／ＤＣコンバータ６５はトランジスタＴＲ１のＯＦＦ状態を維持する。保護回路６７により一度不通状態になりながら何らかの理由で電気的接続が再開しても安全面を考慮して発光部３が点灯しないようになっている。
【００２６】
一方、グローブ９が、破損したり、ケース７から外れたりした状態では、リード線２９ａと導電路５１の一端５１ａとの接続、あるいは、導電路５１の他端５１ｂとリード線２９ａとの接続が電気的に不通となり、点灯回路５から発光部３への給電がされなくなり、発光部３は発光することがない。
具体的な回路上での動作について説明する。
【００２７】
給電路が断線すると、抵抗Ｒ３に電流が流れなくなり、ＩＣ素子ＩＣ１に対して発光部３に電流が流れていない旨の信号が入力される。これを受け、ＩＣ素子ＩＣ１は、トランジスタＴＲ２のＯＮ状態をＯＦＦ状態にする。これにより、ＤＣ／ＤＣコンバータ６５からトランジスタＴＲ２を経由して発光部３へと給電されることはなくなる。
同様に、抵抗Ｒ３に電流が流れなくなると、ＤＣ／ＤＣコンバータ６５に対して発光部３に電流が流れていない旨の信号が入力される。これを受け、ＤＣ／ＤＣコンバータ６５からトランジスタＴＲ１に対してＯＮ信号が出力され、トランジスタＴＲ１がＯＮ状態となる。これにより、ＤＣ／ＤＣコンバータ６５からの電流はトランジスタＴＲ１を経由して接地側へと流れ、給電路に電流が流れるのを防止することができる。
【００２８】
このように、なんらかの原因でグローブ９がケース７から外れた場合、発光部３が発光しなくなるので、これを見たユーザは、照明用光源１が寿命により不点になったと考える。従って、ユーザは、例えば、発光部３に直接触れるような行為をせずに、照明用光源１の交換を行うと考えられ、グローブ９がケース７から外れた場合の安全性を向上させることができる。
３．導電路について
上記の説明では、導電路５１が、グローブ９の開口に沿ってグローブ９の内周の略全周にわたって形成されていたが、例えば、導電路は半周でも良いし、当然４分の１周でも良い。
【００２９】
つまり、本発明に係る導電路は、グローブとケースと組み合わされた状態で点灯回路と発光部とを電気的に接続し、ケースからグローブが外れた状態で点灯回路と発光部との電気的接続が不通となれば良く、導電路の長さ、厚み、形状等により限定されるものではなく、以下のような変形例で説明する導電路であっても良い。
（１）変形例１
図６は、変形例１に係る導電路を示す図である。
【００３０】
変形例１に係るグローブ１０１は、第１の実施の形態と同様に、円筒部４５とドーム状部４７とからなり、この内周面に導電路１０３が形成されている。
この導電路１０３は、図６に示すように、グローブ１０１の内周面をアーチ状に横切る複数（ここでは、３本である。）のアーチ部１０５と、複数のアーチ部１０５を直列接続となるように、隣合うアーチ部１０５の端同士を連結する連結部１０７と、リード線２９，２９ａと接続される接続部１０９とを備えている。
【００３１】
本例でのアーチ部１０５は、発光部の上方を横切り、隣り合うアーチ部１０５は互いに並行に形成されている。また、アーチ部１０５の延伸方向は、グローブ１０１の中心軸（円筒部の中心軸である。）と略並行である（図６における接続部１０９はグローブ１０１の中心軸と直交する方向に延伸し、アーチ部１０５は、接続部１０９と直行する方向二延伸している。）。
【００３２】
このような形状の導電路１０３では、実施の形態と同様に、ケース（７）からグローブ１０１が外れた際の安全性を確保できる。
一方、例えば、グローブ１０１に亀裂が何らかの原因より発生した場合に、前記亀裂から湿度の影響で水分がグローブ１０１の内部へと浸入し、給電端子（４１，４３）等に付着して給電路が短絡したり、発煙や発火したり等の危険性がある。
【００３３】
しかしながら、変形例１に係る上記構成（形状）では、グローブ１０１に亀裂が入った場合、当該亀裂により導電路１０３のアーチ部１０５が切断され、点灯回路（５）から発光部（３）への給電が遮断されることになる。これにより、発光部（３）が点灯しなくなり、これを見たユーザは、照明用光源の交換を行うと考えられ、上記のような危険性は低くなる。
（２）変形例２
図７は、変形例２に係る導電路を示す図である。
【００３４】
変形例１に係る導電路１０３のアーチ部１０５は、グローブ１０１の中心軸と略並行な方向に延伸するように複数本形成されていたが、変形例２に係るアーチ部１１５の延伸方向はグローブ１１１の中心軸に対して傾斜した方向である。
このような形状の導電路１１３でも、変形例１と同様の効果を得ることができる。なお、この場合、グローブ１１１内の第１側（ここでは、リード線２９ａが接続される側である。）と第２側（ここでは、リード線２９ｂが接続される側である。）とに亘って延伸する場合、第１側から第２側に延伸した後、第２側から第１側へと延伸方向を変えるために、アーチ部１１５の端部は、「Ｕ」字状の連結部１１７で連結され、全体として、１本の導電路１１３を形成している。
（３）変形例３
図８は、変形例３に係る導電路を示す図である。
【００３５】
変形例１及び２に係るグローブ１０１，１１１に形成された導電路１０３，１１３は、複数のアーチ部１０５，１１５が直列接続されていたが、変形例３では、複数のアーチ部に相当する部分が並列接続されている。
この導電路１２３は、図８に示すように、グローブの内周面を「Ｃ」字状に形成され複数のＣ状部１２５と、複数のＣ状部１２５を並列接続となるように隣合うＣ状部１２５の端同士を連結する連結部１２７と、リード線２９ａ，２９ｂと接続する接続部１２９を備えている。
【００３６】
なお、Ｃ状部１２５の延伸方向は、グローブ１２１の中心軸と直交する方向であり、各Ｃ状部１２５は所定の間隔をおいて並行に形成されている。
このような形状の導電路１２３では、実施の形態と同様に、ケース（７）からグローブ１２１が外れた際等の安全性を確保できる。
一方、例えば、グローブ１２１の内面に亀裂が何らかの原因より発生した場合に、変形例１や２での導電路１０３，１１３は切断（電気的に不通となる。）されていたが、内面の亀裂が外面にまで達していないような小さな亀裂の場合、前記亀裂から湿度の影響等で水分がグローブ１２１の内部へと浸入し、給電端子（４１，４３）等に付着して給電路が短絡したり、発煙や発火したり等の危険性が低い。
【００３７】
このような場合、変形例３で説明したような導電路１２３の場合、小さな亀裂で複数のうちの１つのＣ状部１２５が切断したとしても、発光部（３）への給電は遮断されることはない。しかしながら、小さな亀裂が成長する間にあらたに別の亀裂が発生し、すべてのＣ状部１２５が切断されると、発光部（３）への給電が遮断される。
（４）変形例４
図９は、変形例４に係る導電路を示す図であり、図１０は、変形例５に係る導電路を示す図である。
【００３８】
変形例３に係る導電路１２３は複数のＣ状部１２５を並列接続していたが、本例の導電路１３３，１４３は、図９、１０に示すように、複数のアーチ部１３５，１４５と、これらのアーチ部１３５，１４５を並列に接続する連結部１３７，１４７とを有するように形成されている。なお、本例では、連結部１３７，１４７がリード線２９ａ，２９ｂと接続される接続部を兼用している。
【００３９】
また、アーチ部の延伸方向は、図９に示すアーチ部１３５のように、グローブ１３１の中心軸と略並行な方向であっても良いし、図１０に示すアーチ部１４５のように、グローブ１４１の中心軸に対して傾斜する方向であっても良い。
変形例４における導電路１３３，１４３であっても、変形例３と同様の効果を得ることができる。
＜第２の実施の形態＞
上記の第１の実施の形態及び変形例１〜４では、導電路５１，１０３，１１３，１２３，１３３，１４３が、点灯回路（５）から発光部（３）へ電力を供給する給電路の一部、つまり、発光部（３）の電力供給が、点灯回路（３）から導電路５１，１０３，１１３，１２３，１３３，１４３を経由して行われていたが、導電路は、点灯回路（５）から発光部（３）へ電力を供給する給電路と別に設けられていても良く、この場合を、第２の実施の形態として以下説明する。
１．構成
図１１は、第２の実施の形態に係る配線図の説明図である。
【００４０】
第２の実施の形態に係る点灯回路２０３は、後述するが、発光部への給電を行う給電部と、グローブの導電路との不通を検知する検知部と、検知部で不通の検知があると、給電部の発光部への給電を停止させる停止部とを備える。
第２の実施の形態に係る発光部３への給電は、同図に示すように、点灯回路２０３の給電部に接続されたリード線２０５，２０７を介して行われる。なお、第２の実施の形態に係る発光部３、グローブ９及び導電路５１は第１の実施の形態と同様の構成であり、同じ符号を用いている。リード線２０５，２０７は、発光部３の給電端子４１，４３に直接接続され、発光部への給電路を構成する。
【００４１】
一方、グローブ９の内面に形成されている導電路５１は、リード線２０９，２１１を介して点灯回路２０３の検知部に接続されている。
図１２は、点灯回路の回路図を示す。
点灯回路２０３は、図１２に示すように、整流・平滑回路６３、ＤＣ／ＤＣコンバータ２１１、保護回路６７、点灯制御回路２１３から構成されている。なお、第１の実施の形態における点灯回路５を構成している回路及び電子部品と同じ構成のものは、同一の符号を利用し、その説明は省略する。
【００４２】
ＤＣ／ＤＣコンバータ２１１は、整流・平滑回路６３から出力された直流電圧を所定の電圧に変換し、発光部３へと出力すると共に導電路５１にも電流が流れるようにする導電路５１にも出力する。なお、このＤＣ／ＤＣコンバータ２１１も、ＩＣが組み込まれた、所謂、ＬＥＤドライバであり、第１の実施の形態の点灯回路３における抵抗３に電流が流れた否かの信号が入力される。
【００４３】
点灯制御回路２１３は、ＩＣ素子ＩＣ２、トランジスタＴＲ２及び抵抗Ｒ２，Ｒ４を備え、抵抗Ｒ４は、導電路５１の断線を検知するための電圧検知用である。
トランジスタＴＲ２のエミッタはＤＣ／ＤＣコンバータ２１１の出力側の正極側に、コレクタはリード線２０５を介して発光部３の正極側に接続され、ベースがＩＣ素子ＩＣ２の信号出力端子に接続されている。
【００４４】
ＩＣ素子ＩＣ２は、電源としての電圧調整用の抵抗Ｒ２を介してＤＣ／ＤＣコンバータ２１１の導電路５１への出力側の正極と導電路５１（正確にはリード線２０９である。）との間に接続されている。抵抗Ｒ４は、導電路５１を含む給電路に直列に挿入され、この抵抗Ｒ４の上流（導電路５１３）側の接続点Ｎ２でＩＣ素子ＩＣ２と接続されている。
保護回路６７は、トランジスタＴＲ１、抵抗Ｒ１を備え、トランジスタＴＲ１のエミッタがＤＣ／ＤＣコンバータ２１１と点灯制御回路２１３との間に接続され、コレクタが接地され、また、ベースはＤＣ／ＤＣコンバータ２１１の信号出力端子に抵抗Ｒ１を介して接続されている。
【００４５】
なお、第２の実施の形態において、給電部は、整流・平滑回路６３、ＤＣ／ＤＣコンバータ２１１、トランジスタＴＲ２により、停止部はＩＣ素子ＩＣ２により、検知部はＩＣ素子ＩＣ２、抵抗Ｒ４によりそれぞれ構成されている。
２．動作
上記構成の照明用光源は、通常の状態、つまり、グローブ９がケース（７）に装着された状態では、点灯回路２０３の給電部からリード線２０５，２０７を介して電力が発光部３に給電される。これにより発光部３が発光する。
【００４６】
具体的な回路上での動作について説明する。
照明用項光源を点灯させると、点灯制御回路２１３のＩＣ素子ＩＣ２は、トランジスタＴＲ２をＯＮ状態にし、ＤＣ／ＤＣコンバータ２１１からの出力電力が給電路（リード線２０５，２０７）を介して発光部３へと給電される。
これにより抵抗Ｒ３に電流が流れ、ＤＣ／ＤＣコンバータ２１１に対して、発光部３に電流が流れている旨の信号が入力され、これを受けたＤＣ／ＤＣコンバータ２１１はトランジスタＴＲ１のＯＦＦ状態を維持する。また、点灯により導電路５１、抵抗Ｒ４に電流が流れ、ＩＣ素子ＩＣ２に対して、導電路５１に電流が流れている旨の信号が入力され、これを受けたＩＣ素子ＩＣ２はトランジスタＴＲ２のＯＮ状態をそのまま維持する。
【００４７】
一方、グローブ９が破損等により、ケース（７）から外れた状態では、リード線２０９と導電路５１の一端５１ａとの電気的接続、あるいは、導電路５１の他端５１ｂとリード線２１１との電気的接続が不通となり、点灯回路２０３の検知部がグローブ９の導電路５１との不通を検知し、停止部が、給電部からの発光部３への給電を停止させる。これにより、発光部３は消灯する。
【００４８】
具体的な回路上での動作について説明する。
導電路５１を含む給電路の電気的接続が不通となると、抵抗Ｒ４に電流が流れなくなり、ＩＣ素子ＩＣ２に対して、導電路５１に電流が流れていない旨の信号が入力され、これを受けたＩＣ素子ＩＣ２は、トランジスタＴＲ２のＯＮ状態をＯＦＦ状態にし、これにより発光部３が消灯する。
【００４９】
また、発光部３の消灯により抵抗Ｒ３に電流が流れなくなると、ＤＣ／ＤＣコンバータ２１１に対して、発光部３に電流が流れていない旨の信号が入力され、これを受けたＤＣ／ＤＣコンバータ２１１はトランジスタＴＲ１に対してＯＮ信号を出力してＯＮ状態にする。これにより、ＤＣ／ＤＣコンバータ２１１からの電流はトランジスタＴＲ１を通って接地側へと流れ、発光部３用の給電路に電流が流れなくなる。また、保護回路６７により、一度不通状態になった後に何らかの理由で電気的接続が再開した場合でも、発光部３が点灯するようなことはない。これにより、不点灯時の安全性を向上させることができる。
＜その他＞
１．発光部
上記説明では、発光部は、複数の半導体発光素子（ＬＥＤ）を利用して構成されているが、他の発光源を利用したものであっても良い。具体的には、低圧蛍光灯ランプや高圧放電ランプ等で用いられている発光管がある。
【００５０】
また、第１の実施の形態では、ＬＥＤの個数や配列等については特に説明しなかったが、本発明に係る発光部は、これらにより特に限定されるものではない。
２．グローブ
上記説明では、グローブはガラス製であったが、他の材料により構成されていても良い。さらに、グローブ形状も、ドーム状部と円筒部とを有する形状でなくても良く、例えば、電球形蛍光ランプのグローブとして利用されているＡ形、Ｇ型等であっても良いし、さらに、これらと異なる形状であっても良い。
３．導電路
（１）形成位置
上記説明では、導電路をグローブの内周面に形成していたが、ケースとグローブとの組み合わせ方によっては、グローブの開口側の端面や外周面に形勢しても良い。
【００５１】
例えば、グローブの開口側の端部をケースの内側へと内挿する構造の場合、グローブの開口側の端部であってケースの開口側の端部と重なる外周面に導電路を形成しても良い。
（２）材料
上記説明では、導電路の材料として透明なＩＴＯを利用したが、他の材料を用いても良い。
【００５２】
例えば、グローブの開口側の端部をケースの内側へと挿入させる構造とした場合、グローブの開口側の端部部分にリード線を配するようにしても良い。
なお、変形例１、２等で説明したアーチ部を有する導電路の場合、発光部から発せられた光をアーチ部で遮らないように、透光性材料でアーチ部を構成した方が好ましい。
４．最後に
各実施の形態及び各変形例では、それぞれ個別に特徴部分について説明したが、各実施の形態及び各変形例での説明した構成を、他の実施の形態や他の変形例の構成と組み合わせても良い。
【産業上の利用可能性】
【００５３】
本発明は、グローブがケースから外れた際の安全性を向上させるのに利用できる。
【図面の簡単な説明】
【００５４】
【図１】第１の実施の形態に係る照明用光源の構成を示す分解斜視図である。
【図２】第１の実施の形態に係る照明用光源のグローブを切り欠いた斜視図である。
【図３】第１の実施の形態に係る照明用光源の断面図である。
【図４】第１の実施の形態に係る配線図の説明図である。
【図５】第１の実施の形態に係る点灯回路の回路図を示す。
【図６】変形例１に係る導電路を示す図である。
【図７】変形例２に係る導電路を示す図である。
【図８】変形例３に係る導電路を示す図である。
【図９】変形例４に係る導電路を示す図である。
【図１０】変形例４に係る導電路を示す図である。
【図１１】第２の実施の形態に係る配線図の説明図である。
【図１２】第２の実施の形態に係る点灯回路の回路図である。
【符号の説明】
【００５５】
１    照明用光源
３    発光部
５    点灯回路
７    ケース
９    グローブ
５１    導電路
【図１】
2010118267.tif 000003
【図２】
2010118267.tif 000004
【図３】
2010118267.tif 000005
【図４】
2010118267.tif 000006
【図５】
2010118267.tif 000007
【図６】
2010118267.tif 000008
【図７】
2010118267.tif 000009
【図８】
2010118267.tif 000010
【図９】
2010118267.tif 000011
【図１０】
2010118267.tif 000012
【図１１】
2010118267.tif 000013
【図１２】
2010118267.tif 000014